(57)【要約】【課題】映像コンテンツに含まれる報知情報により主コンテンツの視聴が妨げられることを抑制できるテレビ受信機及び表示方法を提供する。【解決手段】テレビ受信機は、映像を表示させる表示部と、映像コンテンツに基づく映像を表示部に表示させる表示制御部と、を備えるテレビ受信機であって、表示制御部は、映像コンテンツが、主コンテンツと、主コンテンツの外縁に沿って重畳された報知情報と、を含む場合に、報知情報を検出する検出部と、報知情報が検出された映像コンテンツに含まれる主コンテンツを、表示部の表示サイズに応じて拡大表示させる映像処理部と、を有することを特徴とする。【選択図】図２
2019140596.tif 000002
【特許請求の範囲】
【請求項１】
映像を表示させる表示部と、映像コンテンツに基づく前記映像を前記表示部に表示させる表示制御部と、を備えるテレビ受信機であって、
前記表示制御部は、
前記映像コンテンツが、主コンテンツと、前記主コンテンツの外縁に沿って重畳された報知情報と、を含む場合に、前記報知情報を検出する報知検出部と、
前記報知情報が検出された前記映像コンテンツに含まれる前記主コンテンツを、前記表示部の表示サイズに応じて拡大表示させる映像処理部と、を有する
ことを特徴とするテレビ受信機。
【請求項２】
請求項１に記載のテレビ受信機であって、
前記表示制御部は、前記映像コンテンツの種別に関する種別情報を取得する種別取得部を有し、
前記映像処理部は、前記報知情報が検出された前記映像コンテンツの種別が、予め設定された種別である場合に、前記主コンテンツを拡大表示させる
ことを特徴とするテレビ受信機。
【請求項３】
請求項１又は請求項２に記載のテレビ受信機であって、
前記映像処理部は、拡大された前記主コンテンツに前記報知情報を重畳させて表示させる
ことを特徴とするテレビ受信機。
【請求項４】
請求項３に記載のテレビ受信機であって、
前記映像処理部は、前記ユーザと前記報知情報との関連度、前記報知情報の重要度、前記報知情報の更新頻度、及び前記報知情報の更新の有無の少なくとも一つを含む報知必要度に応じて、前記主コンテンツに前記報知情報を重畳させて表示させる
ことを特徴とするテレビ受信機。
【請求項５】
請求項１から請求項４のいずれか１項に記載のテレビ受信機であって、
前記映像処理部は、拡大された前記主コンテンツに前記報知情報を重畳させて表示させる際に、前記主コンテンツを透過させ視認可能とする透過処理を前記報知情報に実施する
ことを特徴とするテレビ受信機。
【請求項６】
映像を表示させる表示部と、映像コンテンツに基づく前記映像を前記表示部に表示させる表示制御部と、を備えるテレビ受信機における前記映像の表示方法であって、
前記映像コンテンツが、主コンテンツと、前記主コンテンツの外縁に沿って重畳された報知情報と、を含む場合に、前記報知情報を検出するステップと、
前記報知情報が検出された前記映像コンテンツに含まれる前記主コンテンツを、前記表示部の表示サイズに応じて拡大表示させるステップと、を実施する
ことを特徴とする表示方法。
【発明の詳細な説明】
【技術分野】
【０００１】
本発明は、テレビ受信機及び表示方法に関し、詳しくは、映像コンテンツの表示を制御するテレビ受信機及び表示方法に関する。
【背景技術】
【０００２】
テレビジョン放送では、選挙速報や災害情報等に関する報知情報を含む映像コンテンツが配信される場合がある。このような映像コンテンツでは、例えば、主コテンツが縮小表示され、報知情報が画面の周縁部のＬ字型等の一部領域に継続的に表示される（いわゆるＬ字型画面）。これにより、視聴者は、主コンテンツを視聴するとともに、各種情報を得ることができる。
【０００３】
一方で、報知情報が継続的に表示されることにより、主コンテンツの視聴が妨げられる場合もある。したがって、従来から、報知情報の表示を制御する技術が提案されている（例えば特許文献１参照）。特許文献１に記載の従来技術では、主コンテンツ（放送映像）と、報知情報（文字スーパー、字幕スーパー）とが、異なるアセットとして送信される。したがって、テレビ受信機は、アセットの選択により、報知情報の表示・非表示を制御可能であった。
【先行技術文献】
【特許文献】
【０００４】
【特許文献１】特開２０１６−８２５４１号公報
【発明の概要】
【発明が解決しようとする課題】
【０００５】
しかしながら、上記従来技術では、報知情報が主コンテンツに重畳されて一つのコンテンツとして配信された場合、報知情報を非表示にできなかった。この場合、継続的に報知情報が表示され、上述のように主コンテンツが縮小表示されることにより、主コンテンツの視聴が妨げられるおそれがあった。
【０００６】
本発明は、上記従来技術における問題点に鑑みなされ、映像コンテンツに含まれる報知情報により主コンテンツの視聴が妨げられることを抑制できるテレビ受信機及び表示方法を提供することを一つの目的とする。
【課題を解決するための手段】
【０００７】
本発明に係るテレビ受信機は、映像を表示させる表示部と、映像コンテンツに基づく前記映像を前記表示部に表示させる表示制御部と、を備えるテレビ受信機であって、前記表示制御部は、前記映像コンテンツが、主コンテンツと、前記主コンテンツの外縁に沿って重畳された報知情報と、を含む場合に、前記報知情報を検出する報知検出部と、前記報知情報が検出された前記映像コンテンツに含まれる前記主コンテンツを、前記表示部の表示サイズに応じて拡大表示させる映像処理部と、を有することを特徴とする。
本発明に係るテレビ受信機では、映像コンテンツに含まれる報知情報を検出し、当該映像コンテンツに含まれる主コンテンツを表示部の表示サイズに応じて拡大表示する。これにより、主コンテンツに報知情報が重畳された一つのコンテンツとして配信された映像コンテンツから主コンテンツを選択的に表示させることができる。したがって、報知情報が表示されることによる主コンテンツの視聴が妨げられる、という不都合が生じることを抑制できる。
【０００８】
本発明に係るテレビ受信機では、前記表示制御部は、前記映像コンテンツの種別に関する種別情報を取得する種別取得部を有し、前記映像処理部は、前記報知情報が検出された前記映像コンテンツの種別が、予め設定された種別である場合に、前記主コンテンツを拡大表示させることを特徴とする。
本発明では、予め設定された種別の場合に、主コンテンツを拡大表示させて、報知情報を非表示とできる。これにより、ユーザの希望に沿うように、報知情報の表示を制御できる。すなわち、ユーザが報知情報を非表示としたい種別、例えば映画やドラマ等の種別の場合に報知情報を非表示とでき、ユーザは、主コンテンツの視聴に集中できる。一方、ユーザにとって報知情報を表示させたい種別の場合では、報知情報を表示させることもできる。
【０００９】
本発明に係るテレビ受信機では、前記映像処理部は、拡大された前記主コンテンツに前記報知情報を重畳させて表示させることを特徴とする。
本発明によれば、主コンテンツを拡大表示させたまま、報知情報を表示させることができるため、主コンテンツの表示サイズの縮小による視聴の妨げを抑制しつつ、報知情報を表示させることができる。
また、本発明によれば、例えば、非表示とされた報知情報を再表示させる際に、拡大表示された主コンテンツに報知情報を重畳させて表示させる。したがって、報知情報を再表示させる際に主コンテンツの表示サイズが変更されないため、表示サイズの変更による主コンテンツの視聴が妨げられることを抑制できる。
【００１０】
本発明に係るテレビ受信機では、前記映像処理部は、前記ユーザと前記報知情報との関連度、前記報知情報の重要度、前記報知情報の更新頻度、及び前記報知情報の更新の有無の少なくとも一つを含む報知必要度に応じて、前記主コンテンツに前記報知情報を重畳させて表示させることを特徴とする。
本発明によれば、報知必要度に応じて、報知情報を主コンテンツに重畳表示させる。これにより、ユーザに対して報知すべき報知情報を表示させることができ、当該情報が報知されないという不都合の発生を抑制できる。すなわち、ユーザに報知すべき情報を適切に報知できる。
【００１１】
本発明に係るテレビ受信機では、前記映像処理部は、拡大された前記主コンテンツに前記報知情報を重畳させて表示させる際に、前記主コンテンツを透過させ視認可能とする透過処理を前記報知情報に実施することを特徴とする。
本発明によれば、報知情報に透過処理を実施して主コンテンツに重畳させることにより、主コンテンツの視聴を妨げることを抑制しつつ、報知情報を表示させることができる。
【００１２】
本発明に係る表示方法は、映像を表示させる表示部と、映像コンテンツに基づく前記映像を前記表示部に表示させる表示制御部と、を備えるテレビ受信機における前記映像の表示方法であって、前記映像コンテンツが、主コンテンツと、前記主コンテンツの外縁に沿って重畳された報知情報と、を含む場合に、前記報知情報を検出するステップと、前記報知情報が検出された前記映像コンテンツに含まれる前記主コンテンツを、前記表示部の表示サイズに応じて拡大表示させるステップと、を実施することを特徴とする。
本発明によれば、上記テレビ受信機に係る発明と同様に、報知情報が表示されることにより、主コンテンツの視聴が妨げられるという不都合が生じることを抑制できる。また、主コンテンツに報知情報が重畳された一つのコンテンツとして配信された映像コンテンツについても、主コンテンツを表示サイズに応じて拡大表示させることができる。
【発明の効果】
【００１３】
本発明に係るテレビ受信機及び表示方法によれば、報知情報の表示によるメインコンテンツの視聴を妨げることを抑制可能である。
【図面の簡単な説明】
【００１４】
【図１】本発明の実施例１に係るテレビ受信機を模式的に示す正面図である。
【図２】本発明の実施例１に係るテレビ受信機の概略構成を示すブロック図である。
【図３】本発明の実施例１に係るテレビ受信機による表示処理を示すフローチャートである。
【図４】本発明の実施例１に係るテレビ受信機における表示対象の映像コンテンツと表示例とを示す図である。
【図５】本発明の実施例１に係るテレビ受信機の表示モードの設定画面を示す図である。
【図６】本発明の実施例２に係るテレビ受信機の概略構成を示すブロック図である。
【図７】本発明の実施例２に係るテレビ受信機における表示対象の映像コンテンツと表示例とを示す図である。
【発明を実施するための形態】
【００１５】
本発明に係るテレビ受信機及び表示方法は、映像コンテンツが、主コンテンツの周囲に表示される報知情報を含む場合でも、報知情報の表示による主コンテンツの視聴が妨げられることを抑制できることを特徴とする。以下、実施例を図面に基づいて説明する。
なお、下記実施例で示されるテレビ受信機の全体構成及び各部の構成や、表示方法の処理手順や各処理の内容は、下記に述べる実施例に限定されるものではなく、本発明の技術的思想の範囲内、即ち、同一の作用効果を発揮できる範囲内で変更することができるものである。
【００１６】
（実施例１）
（テレビ受信機１０の構成）
以下、本発明に係る実施例１について、図１から図５を用いて説明する。
図１は、実施例１におけるテレビ受信機の模式的に示す正面図である。
図２は、テレビ受信機１０の概略構成を示すブロック図である。
図１に示すように、テレビ受信機１０は、表示部１１と、チューナ部１２と、デコーダ部１３と、バッファ部１４と、記録再生部１５と、表示制御部２０と、を含み構成される。テレビ受信機１０は、映像コンテンツを取得し、当該映像コンテンツに基づく映像を表示部１１に表示する。また、テレビ受信機１０は、リモコン（リモートコントローラ）３０を介して、ユーザによる動作指示や設定指示等を受け付け可能に構成されている。ここで、映像コンテンツは、例えば、動画像や静止画像を含む映像を表示させるための映像データ、音声データ、及び制御信号等を含むデータである。
【００１７】
表示部１１は、表示制御部２０の制御によって、映像コンテンツに基づく映像を表示する。
チューナ部１２は、地上デジタル放送により放送される放送番組、及び、衛星放送により放送される放送番組などを受信するためのチューナである。また、チューナ部１２は、放送番組と共に、例えば緊急地震速報など放送番組に重ね合せて表示される文字スーパー及び字幕などのデータ放送を受信する。
【００１８】
デコーダ部１３は、チューナ部１２によって受信された放送番組としての映像コンテンツや、後述する記録再生部１５によって再生された映像コンテンツを、映像信号及び音声信号にデコードする。デコーダ部１３は、例えば、チューナ部１２が受信する放送番組を示す受信信号をアナログベースバンド信号に変換するＲＦ部と、アナログベースバンド信号をデジタルベースバンド信号に変換するＡＤＣ部と、デジタルベースバンド信号からＭＰＥＧ２ストリームを復調する復調部と、ＭＰＥＧ２ストリームから映像信号及び音声信号を復号する復号部と、を含み構成される。
【００１９】
バッファ部１４は、デコーダ部１３によってデコードされた映像コンテンツを構成するフレーム画像を逐次格納する。また、バッファ部１４は、データ放送の示す文字情報などのオブジェクトが受信された場合は、デコーダ部１３を介して当該オブジェクトを取得し、逐次格納する。また、バッファ部１４は、映像信号にメタ情報が付随する場合は、デコーダ部１３を介して当該メタ情報を取得し、格納する。
【００２０】
記録再生部１５は、チューナ部１２を介して受信された映像コンテンツを記録する。また、記録再生部１５は、記録している映像コンテンツを再生して、再生信号をデコーダ部１３に送信する。この記録再生部１５は、例えば、磁気ディスク、ＲＡＭ（Random access memory）、及びフラッシュメモリ等からなる記憶装置を備え、いわゆるハードディスクレコーダー、ＤＶＤレコーダー、ブルーレイレコーダー等の、録画再生装置の機能を有する。なお、記録再生部１５は、受信機１０の外部に存在していても良い。この場合には、映像コンテンツに係る再生信号が、テレビ受信機１０の外部からケーブルの端子等を介してデコーダ部１３に供給される。
【００２１】
（表示制御部２０の構成）
表示制御部２０は、映像コンテンツに基づく映像を表示部１１に表示させる。表示制御部２０は、例えば、ＣＰＵ（Central Processing Unit）、ＲＯＭ（Read Only Memory）、ＲＡＭを含み構成され、報知検出部２１、視聴状態取得部２２、種別取得部２３、及び、映像処理部２４として機能する。
【００２２】
報知検出部２１は、映像コンテンツに報知情報が含まれる場合に、当該報知情報を検出する。また、報知検出部２１は、映像コンテンツ（フレーム画像）における報知情報の表示領域を検出する。この報知検出部２１の機能については後に詳述する。
【００２３】
視聴状態取得部２２は、視聴対象である映像コテンツの視聴状態を示す視聴状態情報を取得する。具体的には、視聴対象である映像コンテンツがチューナ部１２を介して取得された映像コンテンツ（以下、リアルタイムコンテンツとも称する）である場合、視聴状態取得部２２は、視聴状態がリアルタイムであることを示す視聴状態情報を取得する。また、記録再生部１５によって再生された映像コンテンツ（以下、録画コンテツとも称する）を視聴対象としている場合、視聴状態取得部２２は、視聴状態が録画再生であることを示す視聴状態情報を取得する。
【００２４】
種別取得部２３は、映像コンテンツの種別に関する種別情報を取得する。ここで、映像コンテンツの種別情報とは、映像コンテンツにおける主コンテンツの内容を示す情報であり、例えば、映画、ドラマ、スポーツ、ニュース、及び、ドキュメンタリー等である。この種別情報は、例えば、映像コンテンツのメタ情報や、ユーザにより設定され映像コンテンツに関連付けられた情報として取得される。
【００２５】
映像処理部２４は、映像コンテンツの表示処理を実施し、表示部１１に映像コンテンツに基づく映像を表示させる。この映像処理部２４は、スケーリング部２４１を含み構成される。
スケーリング部２４１は、表示させる映像（フレーム画像）のサイズを、当該映像を表示すべき領域のサイズに応じて調整する。例えば、映像を表示部１１の全体に表示させる場合は、表示部１１の表示サイズとなるように、映像のサイズを調整（拡大又は縮小）する。
【００２６】
なお、映像処理部２４による表示処理の詳細についは後述するが、映像処理部２４は、報知情報を含む映像コンテンツの種別が予め設定された種別である場合、当該映像コンテンツに含まれる主コンテンツを、表示部１１の表示サイズに応じて拡大表示させる。また
、映像処理部２４は、映像コンテンツが所定の種別の場合、後述する透過処理を施した報知情報を、拡大された主コンテンツに重畳表示させる。
【００２７】
（表示制御部２０による表示処理）
図３は、テレビ受信機１０の表示制御部２０による映像コンテンツの表示処理の一例を示すフローチャートである。また、図４は、表示対象となる映像コンテンツ４０と、図３に示す表示処理による表示例（第１表示画像５１、第２表示画像５２、及び第３表示画像５３）を示す図である。
表示制御部２０は、報知情報４２を含む映像コンテンツ４０を表示する場合に、映像コンテンツ４０の種別や視聴状態に応じて報知情報４２の表示状態を制御する。
【００２８】
ここで、図４を参照して映像コンテンツ４０について説明する。図４に示す映像コンテンツ４０は、主コンテンツ４１と、報知情報４２と、を含む。
主コンテンツ４１は、映像コンテンツ４０の主たるコンテツであり、当該主コンテンツ４１の内容に応じて映像コンテンツ４０の種別情報が設定される。
報知情報４２は、選挙速報や災害情報や天気情報等の各種情報を報知するための図形やテキストを含む画像である。報知情報４２は、主コンテンツ４１の外側に、当該主コンテンツ４１の外縁に沿って重畳されている。本実施例では、報知情報４２は、主コンテンツ４１の左側と下側との外縁に沿ったＬ字状の領域に重畳されている。なお、報知情報４２の表示領域は、図示例に限らず、右側や上側を含むＬ字状の領域でもよいし、Ｃ字状や枠状の領域でもよい。
【００２９】
図３に示すように、本実施例の表示処理では、報知検出部２１は、表示対象である映像コンテンツに報知情報が含まれる場合はこれを検出し、検出結果を出力する（ステップＳ１）。
ステップＳ１において、報知検出部２１は、バッファ部１４に格納されている映像コンテンツのフレーム画像を取得し、当該フレーム画像に報知情報４２が含まれている場合、当該報知情報４２を検出する。また、報知検出部２１は、報知情報４２の表示領域を検出する。例えば、報知検出部２１は、映像コンテンツ４０の周縁部において、所定フレームに亘って階調変化が閾値未満となる領域がある場合に、当該領域を報知情報４２の表示領域として検出する。なお、報知情報４２の検出方法は、上述の方法に制限されず、他の方法を用いても良い。例えば、映像コンテンツのメタ情報として、報知情報４２の表示や、表示領域に関する情報が付加されている場合は、当該メタ情報を参照してもよい。
【００３０】
ステップＳ１において、報知情報４２が検出された場合（ステップＳ１：ＹＥＳ）、視聴状態取得部２２は、映像コンテンツの視聴状態情報を取得する（ステップＳ２）。
視聴状態取得部２２は、映像コンテンツ４０がリアルタイムコンテンツである場合、視聴状態がリアルタイムであることを示す視聴状態情報を取得する。視聴状態取得部２２は、映像コンテンツ４０が録画コンテツである場合、視聴状態が録画再生であることを示す視聴状態情報を取得する。視聴状態取得部２２は、取得した視聴状態情報を記憶する。
【００３１】
次に、種別情報取得部２３は、種別情報を取得する（ステップＳ３）。
種別情報取得部２３は、映像コンテンツのメタ情報や、ユーザによる設定情報として取得した種別情報を記憶する。
【００３２】
次に、映像処理部２４は、視聴状態情報と、種別情報とに基づいて、映像コンテンツの表示モードを選択する（ステップＳ４）。
なお、映像処理部２４は、予め設定された表示モード選択情報を参照して表示モードを選択する。表示モード選択情報は、視聴状態及び種別に応じて選択すべき表示モードを示す情報であり、ユーザによって設定可能である。
【００３３】
ここで、本実施例にて選択可能な表示モードは、「非表示モード」、「透過表示モード」、及び、「通常表示モード」のいずれかである。
「非表示モード」では、主コンテンツ４１が拡大表示され、報知情報４２が非表示とされる（図４の第１表示画像５１を参照）。
「透過表示モード」では、主コンテンツ４１が拡大表示され、報知情報４２が透過表示される（図４の第２表示画像５２を参照）。
「通常表示モード」では、主コンテンツ４１及び報知情報４２を含む映像コンテンツ４０が表示される。
【００３４】
例えば、映像処理部２４は、種別情報が「映画」や「ドラマ」の場合は、視聴状態情報、すなわちリアルタイム及び録画再生のいずれかに関わらず、「非表示モード」を選択する。また、映像処理部２４は、種別情報が「スポーツ」の場合、視聴状態情報がリアルタイムでは「透過表示モード」を選択し、録画再生では「非表示モード」を選択する。また、映像処理部２４は、種別情報が「ニュース」の場合、視聴状態情報に関わらず「通常表示モード」を選択する。
【００３５】
図３に戻り、映像処理部２４は、表示モードの選択結果が「非表示モード」の場合（ステップＳ５：ＹＥＳ）、図４の第１表示画像５１に示すように主コンテンツ４１を拡大表示させる（ステップＳ６）。
すなわち、映像処理部２４は、報知情報４２の検出結果に基づいて、映像コンテンツ４０における主コンテンツ４１の表示領域を取得する。そして、映像処理部２４は、表示部１１の表示サイズに応じて、主コンテンツ４１の表示サイズを図４の第１表示画像５１における一点鎖線で示すサイズから拡大し、表示部１１に表示させる。
【００３６】
映像処理部２４は、表示モードの選択結果が「非表示モード」ではなく（ステップＳ５：ＮＯ）、「透過表示モード」の場合（ステップＳ７：ＹＥＳ）、図４の第２表示画像５２に示すように、拡大された主コテンンツ４１に、透過処理を施した報知情報４１Ａを重畳し、表示部１１に表示させる（ステップＳ８）。透過処理を施すことにより、報知情報４１Ａが重畳された主コンテンツ４１が透過され視認可能となる。報知情報４１Ａの表示領域は、図４の第２表示画像５２における破線で示す領域である。なお、ステップＳ８では、映像処理部２４は、図４の第３表示画像５３に示すように、透過処理に加え、さらに縮小処理を施した報知情報４１Ｂを、主コテンンツ４１に重畳し、表示部１１に表示させてもよい。報知情報４１Ｂの表示領域は、図４の第３表示画像５３における破線で示す領域である。
【００３７】
一方、表示モードが「通常表示モード」の場合（ステップＳ７：ＮＯ）や、ステップＳ１において報知情報４２が検出されない場合（ステップＳ１：ＮＯ）は、映像処理部２４は、通常の表示処理を実施する（ステップＳ９）。すなわち、ステップＳ９では、映像処理部２４は、バッファ部１４から取得した映像コンテンツ４０を表示部１１に表示させる。
【００３８】
（表示モード選択情報の設定）
図５は、表示モード選択情報の設定画面の一例を模式的に示す図である。なお、図５では、種別がニュースの場合に関する表示モード選択情報の設定画面を例示している。
表示モード選択情報は、上述のように、ユーザによって予め設定可能である。図５（Ａ）にはリアルタイムコンテンツについての第１設定画面６１、図５（Ｂ）には録画コンテンツについての第２設定画面６２を例示している。各設定画面６１，６２では、映像コンテンツの種別ごとに設定された表示モードが表示されている。ユーザは、各設定画面６１，６２を参照しながら、リモコン３０を操作してカーソル６３を移動させ、非表示モード
に対応する「非表示」、透過表示モードに対応する「透過」、通常表示モードに対応する「通常」のいずれかを選択する。テレビ受信機１０は、ユーザによるリモコン３０の操作指示を受け付け、表示モード選択情報を設定する。
【００３９】
（実施例１の作用効果）
テレビ受信機１０は、映像コンテンツ４０に含まれる報知情報４２を検出し、当該映像コンテンツ４０に含まれる主コンテンツ４１を表示部１１の表示サイズに応じて拡大表示する。これにより、主コンテンツ４１に報知情報４２が重畳され一つのコンテンツとして配信された映像コンテンツ４０のうち、主コンテンツ４１を選択的に表示させることができる。したがって、報知情報４２が表示されることにより主コンテンツ４１の視聴が妨げられる、との不都合が生じることを抑制できる。
【００４０】
ここで、映像コンテンツの種別によって、ユーザは、報知情報を表示させたい場合や、表示させたくない場合がある。例えば、種別が、映画やドラマ等の場合、報知情報を非表示とすることにより、ユーザは、主コンテンツの視聴に集中できる。一方、種別がニュースの場合、主コンテンツ４１と報知情報４２との内容に関連がある場合もあり、ユーザは、主コンテンツ４１と合わせてより多くの情報を得ようとする可能性がある。これに対して、本実施例では、テレビ受信機１０は、映像コンテンツ４０が予め設定された種別の場合に、主コンテンツ４１を拡大表示させる。具体的には、本実施例では、予め設定された所定の種別の場合に、表示モードとして非表示モードや透過表示モードを選択し、主コンテンツ４１を拡大表示させる。これにより、例えば映画やドラマ等の種別の場合に、主コンテンツ４１の視聴に集中させることができる。逆に、報知情報４２を表示させた方が良い可能性がある種別（例えばニュース等）の場合では、報知情報４２を表示させることもできる。
【００４１】
また、テレビ受信機１０は、種別と視聴状態（リアルタイムか録画再生）とに応じて報知情報４２の表示モードを選択する。このような構成では、例えば、視聴状態及び種別のいずれか一方のみに基づいて報知情報４２の表示・非表示を選択する場合と比べて、よりユーザの希望に沿った表示モードを選択できる。例えば、種別がニュースの場合は、視聴状態がリアルタイムでは報知情報４２を含む映像コンテンツ４０を表示させ、録画再生では透過表示させる等、視聴状態に応じて異なる表示モードを選択できる。また、視聴状態が同一であっても、種別に応じて異なる表示モードを選択できる。
【００４２】
テレビ受信機１０は、主コンテンツ４１を拡大表示させたまま、報知情報４２を表示させる。具体的には、報知情報４２に透過処理を実施して主コンテンツ４１に重畳させる。これにより、主コンテンツ４１の視聴を妨げることを抑制しつつ、報知情報４２を表示させることができる。また、報知情報４２が表示されることにより、主コンテンツ４１が縮小表示され、視聴が妨げられることを抑制できる。
【００４３】
さらに、テレビ受信機１０では、報知情報４２に透過処理を施し、さらに縮小処理を施して、主コンテンツ４１に重畳表示させる（図４の第３表示画像５３参照）。これにより、報知情報４２の表示領域を小さくすることができ、主コンテンツ４１の視聴が妨げられることをより好適に抑制できる。
【００４４】
また、テレビ受信機１０では、種別や視聴状態に応じていずれの表示モードを選択するかを示す表示モード選択情報を、ユーザが設定できる。これにより、ユーザの希望に応じて表示モード選択情報を変更でき、ユーザビリティを向上させることができる。
【００４５】
（実施例２）
実施例２について図６及び図７を用いて説明する。
図６は、実施例２のテレビ受信機１０Ａの概略構成を示すブロック図である。
図６に示すように、テレビ受信機１０Ａは、表示制御部２０に報知必要度取得部２５を備え、映像処理部２４が報知情報の報知必要度に応じた処理を実施する点を除き、実施例１と略同様に構成される。したがって、実施例１と同様の部分についての説明は省略又は簡略化する。
【００４６】
報知必要度取得部２５は、報知情報４２の報知必要度を取得する。報知必要度は、ユーザに対して報知情報４２を報知する必要性があるか否かを示す情報である。本実施例では、報知必要度は、ユーザと報知情報４２との関連度、報知情報４２の重要度、報知情報４２の更新頻度、及び、報知情報４２の更新の有無を含む。
【００４７】
ユーザと報知情報４２との関連度は、ユーザと報知情報４２との関連性の有無に関する情報であり、例えば、報知情報４２の対象地域と視聴地域とが関連するか否かを示す情報である。また、関連度は、ユーザの視聴番組や購入履歴等の行動履歴と、報知情報の内容との関連性を有するか否かを示す情報である。視聴地域と対象地域が同一の場合等、関連度が高い場合、報知情報４２が表示される。
【００４８】
報知情報４２の重要度は、ユーザの視聴地域や興味に関わらず報知の必要性が高い情報であることを示す。例えば大地震や津波といった大規模な自然災害や事故等の災害情報や、ミサイル発射に関する警報等に関する報知情報４２である場合、重要度が高いと判定される。重要度が高い報知情報４２は、例えば、ユーザとの関連度が低くても表示される。
【００４９】
なお、視聴地域は、例えば、テレビ受信１０Ａの選局設定の際に入力された郵便番号や地域情報から取得される。また、ローカル番組を受信している場合は、当該ローカル番組を配信するローカル局の所在地から視聴地域が推定される。また、ユーザの行動履歴は、テレビ受信機１０Ａの表示制御部２０が視聴履歴として予め記憶しておいてもよい。また、テレビ受信機１０Ａは、図示しない通信部を備え、ネットワークを介して接続されている情報サーバから、視聴履歴や購入履歴等のユーザの行動履歴を取得してもよい。また、報知情報４２に関する情報（対象地域や内容を示す情報）は、映像コンテンツのメタ情報として含まれる場合、当該メタ情報として取得される。また、報知情報４２に関する情報は、報知情報４２のテキストや画像の解析結果や、情報サーバから取得されうる速報や災害情報等に基づいて推定される。
【００５０】
報知情報４２の更新頻度は、例えば、所定期間における更新回数が所定回数以上の場合や、更新間隔が所定期間（例えば５分）以内の場合、更新頻度が高いと判断され、報知情報４２が表示される。一方、報知情報４２の更新頻度が低い場合、報知情報４２が非表示とされる。また、報知情報４２が更新された場合や、更新頻度が高くなった場合は、一旦、非表示とされた報知情報４２が再び表示される。報知情報４２の更新は、例えば、報知情報４２の表示領域に含まれるテキストの変更有無や、報知情報４２に関する情報がメタ情報として取得可能な場合における当該メタ情報の変更の有無によって検出される。
【００５１】
（報知情報の再表示処理）
図７は、報知情報４２を含む映像コンテンツ４０と、非表示モードに対応する第１表示画像５１と、再度、報知情報４２が表示された第４表示画像５４と、の一例を図示している。
映像処理部２４は、非表示モードに対応する映像コンテンツ４０の表示処理において、報知情報４２を非表示とした後に、報知必要度に応じて報知情報４２を再表示させる。具体的には、映像処理部２４は、第１表示画像５１を表示させた後に、報知必要度に応じて第４表示画像５４を表示させる。この第４表示画像５４では、拡大表示された主コンテンツ４１に、報知情報４２が重畳表示される。
【００５２】
なお、再表示の際に、第２表示画像５２や第３表示画像５３のように、報知情報４２を透過表示させてもよい。また、報知情報４２を含む映像コンテンツ４０を通常表示させてもよい。
また、報知必要度は、報知情報４２との関連度、報知情報４２の重要度、報知情報４２の更新頻度、及び、報知情報４２の更新の有無の少なくともいずれか一つを含む構成を採用してもよい。
【００５３】
（実施例２の作用効果）
このように構成された実施例２のテレビ受信機１０Ａでは、実施例１と同様の効果を得ることができる他、更に後述の作用効果を得ることができる。
本実施例のテレビ受信機１０Ａでは、報知必要度に応じて、報知情報４２を主コンテンツに重畳表示させる。これにより、報知すべき報知情報４２の報知漏れを抑制できる。例えば、関連度を用いることにより、ユーザと関連性の高い報知情報の報知漏れを抑制できる。また、重要度を用いることにより、ユーザによらず重要性が高い報知情報の報知漏れを抑制できる。また、更新の有無を用いることにより、報知情報が更新されたにもかかわらず報知されないという不都合を抑制できる。また、更新頻度を用いることにより、更新頻度が高い報知情報が表示されている場合に、報知情報を表示させ続けることができる。
【００５４】
また、主コテンツ４１を拡大表示させたまま、報知情報４２を再表示させることにより、主コンテンツ４１の表示サイズが小さくなることによる視聴の妨げを抑制しつつ、報知情報４２を表示できる。
また、非表示とされた報知情報４２が再表示され度に、主コンテンツ４１の表示サイズが変更されて視聴の妨げられるという不都合が生じることを抑制できる。
【００５５】
（実施例の変形）
本発明に係るテレビ受信機及び表示方法は、上述の各実施例に限定されず、本発明の技術的思想の範囲内において、各種の変形や、各実施例の組み合わせ等の変更によって得られる構成は本発明に含まれるものである。
例えば、各実施例では、視聴状態や種別情報に基づいて表示モードの選択が実施されていたが、本発明はこれに限定されず、視聴状態や種別情報に関わらず、非表示としてもよい。
【００５６】
各実施例では、透過処理を施した報知情報を、拡大された主コンテンツに重畳させて表示させる透過表示モードを選択可能な構成について例示したが、本発明はこれに限定されない。例えば、非表示モード、透過表示モード、及び通常表示モードのいずれか２つを選択可能に構成されてもよい。
【産業上の利用可能性】
【００５７】
本発明は、報知情報を含む映像コンテンツを表示する際に、報知情報の表示状態をより好適に制御可能なテレビ受信機及び表示方法に関するものであり、産業上の利用可能性は高いと解する。
【符号の説明】
【００５８】
１０  テレビ受信機
１１  表示部
１２  チューナ部
１３  デコーダ部
１４  バッファ部
１５  記録再生部
２０  表示制御部
２１  報知検出部
２２  視聴状態取得部
２３  種別取得部
２４  映像処理部
２５  報知必要度取得部
３０  リモコン
４０  映像コンテンツ
４１  主コンテンツ
４２，４２Ａ，４２Ｂ  報知情報
５１  第１表示画像
５２  第２表示画像
５３  第３表示画像
５４  第４表示画像
６１  第１設定画面
６２  第２設定画面
２４１  スケーリング部
【図１】
2019140596.tif 000003
【図２】
2019140596.tif 000004
【図３】
2019140596.tif 000005
【図４】
2019140596.tif 000006
【図５】
2019140596.tif 000007
【図６】
2019140596.tif 000008
【図７】
2019140596.tif 000009